(57)【要約】【課題】  パノラマ写真として使用できるワイドな展開を可能とするデジタル加工写真アルバムを市販に提供する。【解決手段】  横長の大きさを横方向へ開放させる台紙帳であって、該台紙帳を開放したさいの１頁若しくは隣接する頁の何れか１つの片端を横巾方向へ一定長さ寸法延展した張り出し片に作成し、該台紙の頁内へ或いは隣接する台紙の頁内へ上記張り出し片を折り込ませることにより、１つの頁で片開き或いは観音開き及び又は隣接する頁間で片開き或いは観音開きとなる構成を台紙帳の全体内で適宜混在させるものとなし、且つ各頁及び上記張り出し片にラミネート加工処理を施したデジタル加工写真を貼り付けた。【選択図】      図２
0003127867.tif 000002
【実用新案登録請求の範囲】
【請求項１】
縦巾寸法：横巾寸法の比率が１：１．３〜１．５で、且つ縦巾寸法が１０ｃｍ〜３０ｃｍ、横巾寸法が１５ｃｍ〜４２ｃｍの大きさを横長に配置して横方向へ開放させる台紙帳であって、該台紙帳を開放したさいの１頁若しくは隣接する頁の何れか１つの片端を横巾方向へ一定長さ寸法延展した張り出し片に作成し、該台紙の頁内へ或いは隣接する台紙の頁内へ上記張り出し片を折り込ませることにより、１つの頁で片開き或いは観音開き及び又は隣接する頁間で片開き或いは観音開きとなる構成を台紙帳の全体内で適宜混在させるものとなし、且つ各頁及び上記張り出し片にラミネート加工処理を施したデジタル加工写真を貼り付けてあることを特徴とするデジタル加工写真アルバム。
【請求項２】
張り出し片の横巾寸法は、１頁の横巾寸法の４５％〜８０％となしたことを特徴とする請求項１記載のデジタル加工写真アルバム。
【請求項３】
アルバムの表紙体の一部に透明のアクリル板を使用し、そのアクリル板の裏面には写真が転写されてあることを特徴とする請求項１又は２記載のデジタル加工写真アルバム。
【考案の詳細な説明】
【技術分野】
【０００１】
本考案は、デジタル加工写真アルバムに関する。
【背景技術】
【０００２】
従来より、結婚式などの記念写真を編集収録した写真アルバムに於いて、写真にイラストや文字などを合成して自由にレイアウトできるデジタル加工写真によるものが考えられており、特許文献１には、Ａ４サイズを縦長方向へ開放させる台紙帳に対し、一定長さ寸法延展した張り出し片を作成し、片開き或いは観音開きとなる構成をなしたデジタル加工写真アルバムが示されている。
しかし、特許文献１に示すものは、縦の長さを主として横方向に展開させるものであって、屏風の如く内部を開放した状態にすることができるものであるが、パノラマ写真として使用するにはもの足りないものとなっている。
【特許文献１】実用新案登録第３１０３９００号
【考案の開示】
【考案が解決しようとする課題】
【０００３】
本考案は、かかる問題点を解決するものであって、パノラマ写真として使用できるワイドな展開を可能とするデジタル加工写真アルバムを市販に提供しようとするものである。
【課題を解決するための手段】
【０００４】
本考案に係るデジタル加工写真アルバムは、縦巾寸法：横巾寸法の比率が１：１．３〜１．５で、且つ縦巾寸法が１０ｃｍ〜３０ｃｍ、横巾寸法が１５ｃｍ〜４２ｃｍの大きさを横長に配置して横方向へ開放させる台紙帳であって、該台紙帳を開放したさいの１頁若しくは隣接する頁の何れか１つの片端を横巾方向へ一定長さ寸法延展した張り出し片に作成し、該台紙の頁内へ或いは隣接する台紙の頁内へ上記張り出し片を折り込ませることにより、１つの頁で片開き或いは観音開き及び又は隣接する頁間で片開き或いは観音開きとなる構成を台紙帳の全体内で適宜混在させるものとなし、且つ各頁及び上記張り出し片にラミネート加工処理を施したデジタル加工写真を貼り付けてある。その際、張り出し片の横巾寸法は、１頁の横巾寸法の４５％〜８０％となしたりする。また、アルバムの表紙体の一部に透明のアクリル板を使用し、そのアクリル板の裏面には写真が転写されたものとなしたりする。
【考案の効果】
【０００５】
本考案は以上の通り構成するものであって、横長に配置して横方向へ開放させる台紙帳の１つの頁で片開き或いは観音開き及び又は隣接する頁間で片開き或いは観音開きとなる構成を台紙帳の全体内で適宜混在させるものとなしたことは、開いた状態では写真が貼付できる広さが拡大されるので、その広さを利用したレイアウトができ、パノラマ写真として使用できるワイドな展開をすることができるものとなる。アルバムの表紙体の一部に透明のアクリル板を使用し、そのアクリル板の裏面に写真が転写されたものでは、写真でありながら透き通り、表からも裏からも見ることができるアルバム表紙となり、今までにない興趣に富んだものとなるとともに、アクリル板の裏面に写真が転写されているため、アクリル板の表側から傷が入っても写真は傷がつかないものとなるのである。
【考案を実施するための最良の形態】
【０００６】
以下、図面に示す実施の形態について説明する。 
図１は本考案に係るデジタル加工写真アルバムの斜視図である。本考案に係るデジタル加工写真アルバム１は、１つの頁或いは隣接する頁間に観音開きとなる構成を台紙帳２の全体に適宜混在させ、各頁にラミネート加工を施したデジタル加工写真３を貼り付けたものである。
【０００７】
図２はデジタル加工写真アルバムの頁を開いた状態の説明図で、図３は図２の観音開きの頁を開いた状態の説明図で、図４はデジタル加工写真アルバムの他の頁を開いた状態の説明図で、図５は図４の観音開きの頁を開いた状態の説明図である。
【０００８】
上記、デジタル加工写真アルバム１の台紙帳２の作成について説明する。台紙帳２は縦巾寸法：横巾寸法の比率が１：１．３〜１．５となるサイズを横長に配置して横方向へ開放させるものであって、１頁の大きさは縦巾寸法ｈが１０ｃｍ〜３０ｃｍ程度で、横巾寸法ｗ１が１５ｃｍ〜４２ｃｍ程度である。図３に示す如く、１つの頁４の外側の片端に対し、横巾寸法ｗ２が横巾寸法ｗ１の４５％〜５０％程度となる長さ寸法を延展した張り出し片５を設ける。一方、上記１つの頁４に隣接する頁を横巾寸法ｗ３が横巾寸法ｗ１の４５％〜５０％程度の大きさになるように切断することにより、１頁の１つの片端を一定長さ寸法を延展した張り出し片６を作成する。このようにすることにより、台紙帳２の１つの頁を挟んで観音開きとなる頁を設けることができる。
【０００９】
前記例では１つの頁を挟んで観音開きとなる頁を設けた例を示したが、次に隣接する頁を挟んで観音開きとなる頁を設けた例を示す。図５に示す如く、１つの頁７の外側の片端に対し、横巾寸法ｗ４が横巾寸法ｗ１の７０％〜８０％程度となる長さ寸法を延展した張り出し片８を設ける。一方、上記１つの頁７に隣接する頁９の外側の片端に対し、上記同様張り出し片１０を設ける。このようにすることにより、台紙帳２の隣接する頁を挟んで観音開きとなる頁を設けることができ、縦巾寸法が１に対し、開いた状態の横巾寸法が４．４２〜５．４となり、その広さを利用したレイアウトができ、パノラマ写真として使用できるワイドな展開をすることができるものとなる。
【００１０】
上記例では１頁若しくは隣接する頁間で観音開きとなる構成の例を示したが、１頁の左右の片端のどちらかに張り出し片を設けて片開きとなる構成にすることもできる。 
【００１１】
次にデジタル加工写真について説明する。まず、コンヒ_ュータ等で写真にイラスト等を合成したものをプリントアウトしたデジタル加工写真を複数枚作成する。そして、該デジタル加工写真をラミネートする。尚、デジタル加工写真のサイズは台紙帳の各頁の大きさより縦巾寸法及び横巾寸法ともに０ｍｍ〜３ｍｍ程度小さいものとなっている。
【００１２】
而して、上記ラミネート加工処理が施されたデジタル加工写真１４を前記台紙帳２に糊で貼り付ける。これにより図１に示す如くデジタル加工写真アルバムが完成する。 
【００１３】
図６〜図１１は、本考案の他の例を示す図で、アルバムの表紙体の一部に透明のアクリル板を使用し、そのアクリル板の裏面に写真を転写したものである。まず、コンピュータ等で表紙に使用する写真にイラストや文字等を合成して編集したデジタル加工写真を、転写シート１１に印刷する。なお該転写シートは水により写真が転写されるものである。次に透明なアクリル板１２の裏面に対し印刷した転写シート１１を裏返して載せ（図６）、水で濡らして５分後に転写シート１１を剥がす（図７）。これにより、透き通った写真入りアクリル板１２が作成され、これを表紙に使用するのである。このとき、転写された写真はアクリル板の裏側に移るため、アクリル板の表側から傷が入っても写真は傷がつかないものとなるのである。
【００１４】
本考案では、図８及び図９に示す如く表紙体１６を作成する。即ち、アクリル板１２、背表紙用の台紙１３、裏表紙用の台紙１４と表紙用シート１５を用意し、表紙用シート１５の裏面にのり付けをして、その上にアクリル板１２の背表紙側の端部から巾寸法ｓが２ｃｍ〜４ｃｍ程度の範囲と、背表紙用の台紙１３、裏表紙用の台紙１４を載せて、表紙用シート１５の周囲を折り込み表紙体１６を作成するのである。そして、図１０に示す如く、表紙体１６に台紙帳１７を貼り合わせるとアクリル写真入りの表紙体からなるデジタル加工写真アルバム１’が完成する（図１１）。 
【図面の簡単な説明】
【００１５】
【図１】本考案に係るデジタル加工写真アルバムの斜視図である。
【図２】デジタル加工写真アルバムの頁を開いた状態の説明図である。
【図３】図２の観音開きの頁を開いた状態の説明図である。
【図４】デジタル加工写真アルバムの他の頁を開いた状態の説明図である。
【図５】図４の観音開きの頁を開いた状態の説明図である。
【図６】転写シートをアクリル板に載せる説明図である。
【図７】転写シートをアクリル板から剥がす説明図である。
【図８】表紙体作成説明図である。
【図９】表紙体の裏面図である。
【図１０】台紙帳と表紙体の分解図である。
【図１１】他の例のデジタル加工写真アルバムの斜視図である。
【符号の説明】
【００１６】
１、１’  デジタル加工写真アルバム
２  台紙帳
３  デジタル加工写真
４  １つの頁
５  張り出し片
６  １つの頁
７  １つの頁
８  張り出し片
９  隣接する頁
１０  張り出し片
１１  転写シート
１２  アクリル板
１３  背表紙用台紙
１４  裏表紙用台紙
１５  表紙シート
１６  表紙体
１７  台紙帳
【図１】
0003127867.tif 000003
【図２】
0003127867.tif 000004
【図３】
0003127867.tif 000005
【図４】
0003127867.tif 000006
【図５】
0003127867.tif 000007
【図６】
0003127867.tif 000008
【図７】
0003127867.tif 000009
【図８】
0003127867.tif 000010
【図９】
0003127867.tif 000011
【図１０】
0003127867.tif 000012
【図１１】
0003127867.tif 000013